(57)【特許請求の範囲】
【請求項１】
少なくとも１種の縮合飽和環化合物を含有する反強誘電性液晶組成物であって、前記縮合飽和環化合物が下記構造式（ａ）乃至（ｆ）で表わされる化合物であることを特徴とする反強誘電性液晶組成物。
【化１】
0004155536.tif 000014
但し、略基は以下の基を示す。
【化２】
0004155536.tif 000015
【請求項２】
請求項１に記載の液晶組成物を一対の電極基板間に設置してなることを特徴とする液晶素子。
【請求項３】
前記電極基板上の液晶組成物と接する側にさらに配向制御層が設けられている請求項２記載の液晶素子。
【請求項４】
前記配向制御層がラビング処理された層である請求項３記載の液晶素子。
【請求項５】
液晶分子の配列によって形成された螺旋構造が解除された膜厚で前記一対の電極基板間に設置する請求項４記載の液晶素子。
【請求項６】
前記電極基板上に薄膜トランジスタあるいは非線型能動素子を設置した請求項２乃至５のいずれかの項に記載の液晶素子。
【発明の詳細な説明】
【０００１】
【発明の属する技術分野】
本発明は、フラットパネルディスプレイ、プロジェクションディスプレイ、プリンター等に用いられるライトバルブに使用される液晶材料の反強誘電性液晶組成物および液晶素子に関する。
【０００２】
【従来の技術】
従来からもっとも広範に用いられてきているディスプレイとしては、ＣＲＴが知られている。テレビやＶＴＲなどの動画出力、あるいはパソコン等のモニターとして広く用いられている。しかしながら、ＣＲＴはその特性上、静止画像に対してはフリッカや解像度不足による走査縞等が視認性を低下させたり、焼き付きによる蛍光体の劣化が起こったりする。また、最近ではＣＲＴが発生する電磁波が人体に悪影響を与えることがわかり、ＶＤＴ作業者の健康を害することが懸念されている。そして、ＣＲＴはその構造上、画面後方に広く体積を有することが必須であることから、情報機器の利便性を著しく阻害し、オフィス、家庭の省スペース化を阻害している。
【０００３】
このようなＣＲＴの欠点を解決するものとして液晶表示素子がある。たとえばエム・シャット（Ｍ．Ｓｃｈａｄｔ）とダブリュー・ヘルフリッヒ（Ｗ．Ｈｅｌｆｒｉｃｈ）著「アプライド・フィジックス・レターズ（Ａｐｐｌｉｅｄ  Ｐｈｙｓｉｃｓ  Ｌｅｔｔｅｒｓ）」第１８巻、第４号（１９７１年２月１５日発行）第１２７頁〜１２８頁において示されたツイステッドネマチック（ｔｗｉｓｔｅｄ  ｎｅｍａｔｉｃ）液晶を用いたものが知られている。近年、このタイプの液晶を用いてＴＦＴといわれる液晶素子の開発、製品化が行われている。このタイプは一つ一つの画素にトランジスタを作成するものであり、クロストークの問題が無く、また、近年の急速な生産技術の進歩によって１０〜１２インチクラスのディスプレイが生産性よく作られつつある。しかしながら、さらに大きなサイズあるいは動画を問題無く再現できるという点の６０Ｈｚ以上のフレーム周波数という点では、未だ生産性、液晶の応答速度に問題が存在している。
【０００４】
また、最近では新しいモードを利用した液晶素子が開発されている。例えば、特開平１０−７３８２３（日立製作所社）に示されるインプレーンモード、セイコーエプソン（株）によるＢＴＮモードがある。特に後者は速いスイッチングスピードと双安定性を有するため、単純マトリクス方式による大画面素子の提案がなされている。
【０００５】
一方、双安定性からなる液晶素子としてはクラーク（Ｃｌａｒｋ）およびラガウェル（Ｌａｇｅｒｗａｌｌ）により提案されている（特開昭５６−１０７２１６号公報、米国特許第４３６７９２４号明細書）カイラルスメクチック液晶素子がある。この双安定性からなる液晶としては、一般にカイラルスメクチックＣ相またはカイラルスメクチックＨ相からなる強誘電性液晶が用いられている。この強誘電性液晶は、自発分極により反転スイッチングを行うため、非常に早い応答速度からなる上にメモリー性のある双安定状態を発現させることができる。さらに視野角特性も優れていることから、高速、高精細、大面積の単純マトリクス表示素子あるいはライトバルブとして適していると考えられる。
【０００６】
また、最近ではチャンダニ、竹添らにより、３つの安定状態を有するカイラルスメクチック反強誘電性液晶素子も提案されている（ジャパニーズ  ジャーナルオブ  アプライド  フィジックス（Ｊａｐａｎｅｓｅ  Ｊｏｕｒｎｌ  ｏｆ  Ａｐｐｌｉｅｄ  Ｐｈｙｓｉｃｓ）第２７巻、１９８８年Ｌ７２９頁）。そして、最近この反強誘電液晶材料のうち、ヒステリシスが小さく、階調表示に有利な特性を有するＶ字型応答特性が発見された（たとえば、ジャパニーズ  ジャーナル  オブ  アプライド  フィジックス（Ｊａｐａｎｅｓｅ  Ｊｏｕｒｎａ１  ｏｆ  Ａｐｐｌｉｅｄ  Ｐｈｙｓｉｃｓ）第３６巻、１９９７年、３５８６頁）。これをアクティブマトリクスタイプの液晶素子とし、高速のディスプレイを実現しようという提案もされている（特開平９−５００４９号公報）。
【０００７】
しかしながら、このようなカイラルスメクチック液晶素子においては、たとえば「強誘電液晶の構造と物性」（コロナ社、福田敦夫、竹添秀男著、１９９０年）に記載されているように、ジグザグ状あるいは筋状の配向欠陥が発生してコントラストを著しく低下させるという問題があり、一部の液晶素子においてはかなり改善されているものがあるが、その改善手法はオールマイティーでなく、カイラルスメクチック液晶の配向性の改善は強く求められている。また、自発分極をスイッチングのトルクとして用いているため、反電場が形成されることによるスイッチング異常、電圧保持性の低下、焼き付きといった問題があり、性能、信頼性の両面から極力小さい自発分極の材料が求められている。特に反強誘電液晶材料においては材料種の制約から、自発分極を小さくできないという問題もある。
【０００８】
【発明が解決しようとする課題】
本発明は、上記従来技術に鑑みてなされたものであり、その課題とするところは、反強誘電液晶素子において、優れた均一配向性と十分に小さな自発分極を有し、ヒステリシスの小さいカイラルスメクチック液晶組成物を提供しようとするものである。
【０００９】
さらに、本発明は、該材料を用いて大面積、高精細、高性能の液晶素子を提供しようとするものである。
【００１０】
【課題を解決するための手段】
即ち、本発明の第一の発明は、少なくとも１種の縮合飽和環化合物を含有する反強誘電性液晶組成物であって、前記縮合飽和環化合物が下記構造式（ａ）乃至（ｆ）で表わされる化合物であることを特徴とする反強誘電性液晶組成物である。
【化３】
0004155536.tif 000002
但し、略基は以下の基を示す。
【化４】
0004155536.tif 000003
【００２０】
本発明の第二の発明は、上記の反強誘電性液晶組成物を一対の電極基板間に設置してなることを特徴とする液晶素子である。
【００２１】
前記電極基板上の液晶組成物と接する側にさらに配向制御層が設けられているのが好ましい。
前記配向制御層がラビング処理された層であるのが好ましい。
液晶分子の配列によって形成された螺旋構造が解除された膜厚で前記一対の電極基板間に設置するのが好ましい。
前記電極基板上に薄膜トランジスタあるいは非線型能動素子を設置したのが好ましい。
【００２５】
【発明の実施の形態】
本発明は、少なくとも１種の縮合飽和環化合物を含有する反強誘電性液晶組成物及び該液晶組成物を一対の電極基板間に配置してなる液晶素子ならびにそれらを用いた表示装置及び表示方法を提供するものである。
【００２６】
前記縮合飽和環化合物のうち液晶相の温度幅、混和性、粘性、配向性の観点から下記一般式（Ｉ）または（ＩＩ）で表わされる骨格構造を有する化合物が好ましい。
【００２７】
【化５】
0004155536.tif 000004
【００２８】
一般式（Ｉ）または（ＩＩ）中、ＣＨはＮに置換されていてもよく、またＣＨ2 はＯまたはＣＯに置換されていてもよい。ｎは１または２を示す。
【００２９】
また、同様の観点から更に縮合飽和環化合物のうち下記一般式（ＩＩＩ）で表わされる化合物が好ましい。
【００３０】
【化６】
0004155536.tif 000005
【００３１】
一般式（ＩＩＩ）中、Ｒ1 、Ｒ2 は炭素原子数が１から２０、好ましくは４〜１２である直鎖状または分岐状のアルキル基を示す。但し、該アルキル基中の１つもしくは２つ以上の−ＣＨ2 −はヘテロ原子が隣接しない条件で−Ｏ−、−Ｓ−、−ＣＯ−、−ＣＨ＝ＣＨ−、−Ｃ≡Ｃ−に置換されていてもよい。
【００３２】
Ａ1 、Ａ2 はそれぞれ単独に単結合または無置換あるいは１個または２個のＦ、Ｃｌ、Ｂｒ、ＣＨ3 およびＣＦ3 から選ばれる置換基を有する１，４−フェニレン、ピリジン−２，５−ジイル、ピリミジン−２，５−ジイル、ピラジン−２，５−ジイル、ピリダジン−３，６−ジイル、１，４−シクロヘキシレン、１，３，２−ジオキサボリナン−２，５−ジイル、１、３−ジオキサン−２，５−ジイル、１，３−ジチアン−２，５−ジイルから選ばれる。
【００３３】
Ａ3 はインダン−２，５−ジイル、２−アルキルインダン−２，５−ジイル（アルキル基は炭素原子数１から１８の直鎖状または分岐状のアルキル基である。）、インダノン−２，６−ジイル、２−アルキルインダノン−２，６−ジイル（アルキル基は炭素原子数１から１８の直鎖状または分岐状のアルキル基である。）、クマラン−２，５−ジイル、２−アルキルクマラン−２，５−ジイル（アルキル基は炭素原子数１から１８の直鎖状または分岐状のアルキル基である。）、５，６，７，８−テトラヒドロキナゾリン−２，６−ジイル、フルオレン−２，７−ジイルから選ばれる。
【００３４】
Ｂ1 、Ｂ2 は単結合、−ＣＯＯ−、−ＯＯＣ−、−ＣＨ2 Ｏ−、−ＯＣＨ2 −、−ＣＨ2 ＣＨ2 −、−ＣＨ＝ＣＨ−または−Ｃ≡Ｃ−である。
【００３５】
また、自発分極を小さくする為には、不斉炭素原子を含まない化合物が好ましい。
【００３６】
次に、縮合飽和環化合物の具体的な構造式を下記の表１〜２に示す。以後、本発明中で用いられる略記は以下の基を示す。
【００３７】
【化７】
0004155536.tif 000006
【００３８】
【表１】
0004155536.tif 000007
【００３９】
【表２】
0004155536.tif 000008
【００４０】
本発明の液晶組成物は、より安定な反強誘電性相を得る為にその高温領域にカイラルスメクチックＣ相を有さないことが好ましい。更に前記の課題の観点から自発分極の値は５０ｎＣ／ｃｍ2 以下であることが好ましい。
【００４１】
本発明の反強誘電性液晶組成物における縮合飽和環化合物の含有量は１〜５０重量％であり、１重量％未満では本発明の効果が十分には得られず、また５０重量％を超えると反強誘電性の特性が損なわれる可能性が大きくなるので好ましくない。更に好ましい含有量は５〜３０重量％である。
【００４２】
また、本発明の反強誘電性液晶組成物に用いられる縮合飽和環化合物以外の化合物としては、例えば下記の化合物が用いられる。
【００４３】
【化８】
0004155536.tif 000009
【００４４】
以下に本発明の液晶素子を詳細に説明する。
本発明の液晶素子は、上記の反強誘電性のカイラルスメクチック液晶組成物を使用した液晶素子である。以下に液晶素子を例示するが、本発明は以下の例に限定されるものではない。
【００４５】
図１は本発明の単純マトリクス液晶素子の一例を示す概略図である。図２はマトリクス電極を配置した反強誘電性液晶パネルの一例を示す平面図である。同図において、１が液晶組成物からなる液晶層であり、液晶としてカイラルスメクチック液晶を用いる場合、通常、強誘電相の安定性を実現させるため、層厚５μｍ以下が好ましい。２ａ、２ｂは基板であり、ガラス、プラスチック等が用いられる。３ａ、３ｂはＩＴＯ等の透明電極である。
【００４６】
４ａ、４ｂは配向制御層であり、少なくとも一方の基板上に一軸配向制御層が必要である。一軸配向制御層の形成方法としては、たとえば基板上に溶液塗工または蒸着あるいはスパッタリング等により、一酸化珪素、二酸化珪素、酸化アルミニウム、ジルコニア、フッ化マグネシウム、酸化セリウム、フッ化セリウム、シリコン窒化物、シリコン炭化物、ホウ素窒化物などの無機物やポリビニルアルコール、ポリイミド、ポリイミドアミド、ポリエステル、ポリアミド、ポリエステルイミド、ポリパラキシレン、ポリカーボネート、ポリビニルアセタール、ポリビニルクロライド、ポリスチレン、ポリシロキサン、セルロース樹脂、メラミン樹脂、ウレア樹脂、アクリル樹脂などの有機物を用いて被膜形成したのち、表面をビロード、布あるいは紙等の繊維状のもので摺擦（ラビング）することにより得られる。また、ＳｉＯ等の酸化物あるいは窒化物などを基板の斜方から蒸着する、斜方蒸着法なども用いることができる。また、このほかにショー卜防止層を設けることも可能である。
【００４７】
特に、より良好な一軸配向性を得るためにポリイミドラビング膜を一軸配向層として用いることが好ましい。また、通常ポリイミドはポリアミック酸の形で塗膜し、焼成することで得られる。ポリアミック酸は溶剤に易溶解性であるため生産性に優れる。最近では溶剤に可溶なポリイミドも生産されており、その様な技術の進歩の上からもポリイミドは、より良好な一軸配向性が得られ、高い生産性を有する点で好ましく用いられる。
【００４８】
また、本実施形態の液晶素子は、例えば図３に示される駆動波形を印加して所望のパターン表示を得る。即ち、図２に示されるように、ストライプ状電極３ａ、３ｂの一方を走査電極群５２、他方を情報電極群５３とし、走査電極群５２には順次図３（ａ）に示される走査信号を、情報電極群５３には、該走査信号に同期して図３（ｂ）、（ｃ）に示される情報信号を印加する。
【００４９】
図３において、（ｂ）はオン信号、（ｃ）はオフ信号である。当該駆動波形においては、選択期間に走査電極には±Ｖwのパルスが印加され、これに同期して情報信号にはそれぞれオン信号或いはオフ信号が印加される。その後、Ｖholdによって、上記オン信号或いはオフ信号によって決定した表示を維持する。引き続き次のフレームで書き換える前に、一旦液晶に印加された電圧が０にリセットされる。
【００５０】
また、本発明の液晶素子の第２の例としては、図４に示したアクティブマトリクス素子をあげることができる。図５は図４に示す液晶素子の下側基板の構成を示す平面図である。一対の透明基板（例えばガラス基板）４１、４２のうち、下側基板４１には透明な画素電極４３と画素電極４３に接続されたアクティブ素子４４とがマトリクス状に形成されている。アクティブ素子４４は例えばＴＦＴと言われる薄膜トランジスタから構成される。この例ではアクティブ素子４４はＴＦＴを表している。アクティブ素子４４は透明基板４１上に形成されたゲート電極とゲート電極を覆うゲート絶縁膜とゲート絶縁膜上に形成された半導体層と、半導体層の上に形成されたソース電極及びドレイン電極とから構成される。
【００５１】
さらに、下側基板４１には、図５に示すような画素電極４３の行間にゲートライン（走査ライン）４５が配線され画素電極４３の列間に情報信号ライン４６が配線されている。各ＴＦＴ４４のゲート電極は対応するゲートライン４５に接続され、ドレイン電極は対応する情報信号ライン４６に接続されている。ゲートライン４５は端部４５ａを介して行ドライバに接続され、情報信号ライン４６は端部４６ａを介して列ドライバに接続される。行ドライバはゲート信号を印加してゲートライン４５をスキャンする。列ドライバは表示データに対応する信号を印加する。ゲートライン４５は端部４５ａを除いてＴＦＴ４４のゲート絶縁膜で覆われており、情報信号ライン４６は前期ゲート絶縁膜の上に形成されている。画素電極４３は前記ゲート絶縁膜の上に形成されており、その一端部においてＴＦＴ４４のソース電極に接続されている。また、図４の上側の基板４２には下側の基板４１の各画素電極４３と対向する透明電極４７が形成されている。対向電極４７は表示領域全体にわたる面積の１枚の電極から構成され基準電圧が印加されている。上下基板間の構成については単純マトリクスのケースと同様である。また、非線型能動素子としてＭＩＭ等を使用することも可能である。
【００５２】
本発明の液晶素子は種々の機能をもつた液晶装置を構成するが、その例が該素子を表示パネル部に使用し、図６、７に示した走査線アドレス情報を持つ画像情報からなるデータフォーマット及びＳＹＮ信号による通信同期手段をとることにより、液晶表示装置を実現するものである。図中の符号はそれぞれ以下の通りである。
【００５３】
１０１  液晶表示装置
１０２  グラフィックコントローラー
１０３  表示パネル
１０４  走査線駆動回路
１０５  情報線駆動回路
１０６  デコーダ
１０７  走査線信号発生回路
１０８  シフトレジスタ
１０９  ラインメモリ
１１０  情報信号発生回路
１１１  駆動制御回路
１１２  ＧＣＰＵ
ｌｌ３  ホストＣＰＵ
ｌｌ４  ＶＲＡＭ
【００５４】
画像情報の発生は本体装置のグラフィックコントローラー１０２にて行われ、図６及び図７に示した信号伝達手段に従つて表示パネル１０３へと転送される。グラフィックコントローラー１０２はＣＰＵ（中央演算装置、ＧＣＰＵ  ｌｌ２と略す。）及びＶＲＡＭ（画像情報格納用メモリ）１１４を核にホストＣＰＵ  ｌｌ３と液晶表示装置１０１間の画像情報の管理や通信を司つている。なお、該表示パネルの裏面には、光源が配置されている。
【００５５】
本発明の表示装置は表示媒体である液晶素子が前述したように良好なスイッチング特性を有するため、優れた駆動特性、信頼性を発揮し、高精細、高速、大面積の表示画像を得ることができる。
【００５６】
【実施例】
次に実施例及び比較例を挙げて本発明をさらに具体的に説明する。尚、本発明はこれらの実施例に限定されるものではない。
【００５７】
実施例１
標準的な反強誘電性液晶組成物であるＣＳ−４０００（チッソ石油化学株式会社製）に、以下に示した例示化合物Ｎｏ．２８を以下に示す重量部で混合し液晶組成物Ａを得た。
【００５８】
液晶組成物Ａ    ＣＳ−４０００／Ｎｏ．２８＝８０ｗｔ％／２０ｗｔ％
得られた液晶組成物Ａの相転移温度を下記に示す。
【００５９】
【数１】
0004155536.tif 000010
【００６０】
Ｃｒｙ：結晶相、ＳｃＡ＊：反強誘電性相、Ｓｃγ＊：フェリ誘電性相、ＳＡ：スメクチックＡ相、Ｉｓｏ：等方相
【００６１】
次に、２枚の０．７ｍｍ厚のガラス板を用意し、それぞれのガラス板上にＩＴＯ膜を形成し、さらにこの上にＳｉＯ2 を蒸着させ絶縁層とした。かかるガラス板上にシランカップリング剤［信越化学（株）製、ＫＢＭ−６０２］０．２％イソプロピルアルコール溶液を回転数２０００ｒ．ｐ．ｍ．のスピナーで１５秒間塗布し、表面処理を施した。この後、１２０℃にて２０分間加熱乾燥処理を施した。更に表面処理を行ったＩＴＯ膜付きのガラス板上にポリイミド樹脂前駆体［東レ（株）製、ＳＰ−７１０］１．５％ジメチルアセトアミド溶液を回転数２０００ｒ．ｐ．ｍ．のスピナーで１５秒間塗布した。成膜後、６０分間、３００℃で加熱縮合焼成処理を施した。この時の塗膜の膜厚は約２５０Åであった。
【００６２】
この焼成後の被膜にはアセテート植毛布によるラビング処理がなされ、その後、イソプロピルアルコール液で洗浄し、平均粒径１．５μｍのシリカビーズを一方のガラス板上に散布した後、それぞれのラビング処理軸が互いに平行となるようにし、接着シール剤［三井東圧（株）、ストラクトボンド］を用いてガラス板を貼り合わせ、６０分間、１７０℃にて加熱乾燥しセルを作成した。
【００６３】
このセルに液晶組成物Ａを等方性液体状態で注入し、等方相から２０℃／ｈで２５℃まで徐冷することにより、液晶素子を作成した。このセルのセル厚をベレック位相板によって測定したところ約１．５μｍであった。この素子を使って３０℃での自発分極の大きさと、ピーク  ツー  ピーク（Ｐｅａｋ  ｔｏ  ｐｅａｋ）電圧Ｖｐｐ＝２０Ｖ／μｍの電圧印加により直交ニコル下での光学的な応答（透過光量変化０〜９０％）を検知して応答速度を測定し、スイッチング状態を観察したところ、液晶素子内の０．３ｍｍ2 の視野範囲におけるスジ状欠陥は４個であった。自発分極Ｐｓ＝３２．１ｎＣ／ｃｍ2 、応答速度τ＝１９．１μｓｅｃであった。
【００６４】
更に、このセルを用いＰｅａｋ  ｔｏ  ｐｅａｋ電圧Ｖｐｐ＝１０Ｖ／μｍ、０．ｌＨｚの三角波電圧を印加し、透過光強度の変化を測定した。その結果ヒステリシスの小さなスイッチング挙動が得られた。測定結果は図８に示す。
【００６５】
比較例１
反強誘電性液晶組成物であるＣＳ−４０００（チッソ石油化学株式会社製）をセル内に注入する以外は、全く実施例１と同様の方法で液晶素子を作成し、実施例１と同様の方法により自発分極及び応答速度を測定し、スイッチング状態を観察したところ、液晶素子内の０．３ｍｍ2 の視野範囲におけるスジ状欠陥は２３個であった。自発分極Ｐｓ＝８９．７ｎＣ／ｃｍ2 、応答速度τ＝２４．８μｓｅｃであった。
【００６６】
更に、このセルを用いＰｅａｋ  ｔｏ  ｐｅａｋ電圧Ｖｐｐ＝１０Ｖ／μｍ、０．ｌＨｚの三角波電圧を印加し、透過光強度の変化を測定した。測定結果は図９に示す。
【００６７】
実施例２
反強誘電性液晶組成物であるＣＳ−４０００（チッソ石油化学株式会社製）に以下に示した例示化合物Ｎｏ．８を以下に示す重量部で混合し液晶組成物Ｂを得た。
【００６８】
液晶組成物Ｂ      ＣＳ−４０００／Ｎｏ．８＝９０ｗｔ％／１０ｗｔ％
得られた液晶組成物Ｂの相転移温度を下記に示す。
【００６９】
【数２】
0004155536.tif 000011
【００７０】
Ｃｒｙ：結晶相、ＳｃＡＸ＊：高次の反強誘電性相、ＳｃＡ＊：反強誘電性相、Ｓｃγ＊：フェリ誘電性相、ＳＡ：スメクチックＡ相、Ｉｓｏ：等方相
【００７１】
液晶組成物Ｂをセル内に注入する以外は全く実施例１と同様の方法で液晶素子を作成し、実施例１と同様の方法により自発分極及び応答速度を測定した。いずれのスイッチング状態における液晶素子内の０．３ｍｍ2 の視野範囲におけるスジ状欠陥は６個であった。自発分極Ｐｓ＝５９．５ｎＣ／ｃｍ2 、応答速度τ＝２１．３μｓｅｃであった。
【００７２】
実施例３〜６
反強誘電性液晶組成物であるＣＳ−４０００（チッソ石油化学株式会社製）に以下に示した例示化合物を以下の表３に示す重量部で混合し液晶組成物Ｃ〜Ｆを得た。
【００７３】
【表３】
0004155536.tif 000012
【００７４】
得られた液晶組成物Ｃ〜Ｆはいずれも室温領域において安定な反強誘電性相を示した。
【００７５】
これらの液晶組成物Ｃ〜Ｆをセル内に注入する以外は全く実施例１と同様の方法で液晶素子を作成し、実施例１と同様の方法により自発分極及び応答速度を測定した。液晶素子内の０．３ｍｍ2 の視野範囲におけるスジ状欠陥の個数及び自発分極、応答速度の結果を以下の表４に示す。
【００７６】
【表４】
0004155536.tif 000013
【００７７】
実施例１〜６より明らかな様に本発明による液晶組成物Ａ〜Ｆを含有する液晶素子は配向性が改善され、自発分極が小さくかつ応答速度も改善されていることが認められる。
【００７８】
【発明の効果】
以上説明した様に、本発明の液晶組成物は、液晶組成物が示す反強誘電性を利用して動作させることができる。このようにして利用されうる本発明の液晶素子はスイッチング特性が良好で配向性に優れ、自発分極が小さくかつ高速応答性を有する液晶素子とすることができる。また、ヒステリシスも小さくなっている。なお、本発明の液晶素子を表示素子として光源、駆動回路等と組み合わせた液晶装置は良好な装置となる。
【図面の簡単な説明】
【図１】本発明の単純マトリクス液晶素子の一例を示す概略図である。
【図２】マトリクス電極を配置した反強誘電性液晶パネルの一例を示す平面図である。
【図３】本発明で用いた駆動法の波形を示す図である。
【図４】本発明の液晶素子の構造の他の例を示す概略図である。
【図５】図４に示す液晶素子の下側基板の構成を示す平面図である。
【図６】本発明の液晶組成物を用いた液晶素子を備えた表示装置とグラフィックコントローラーを示すブロック図である。
【図７】表示装置とグラフィックコントローラーとの間の画像情報通信タイミングチャートを示す図である。
【図８】実施例１の液晶素子における三角波電圧の印加と透過光強度の変化を示す図である。
【図９】比較例１の液晶素子における三角波電圧の印加と透過光強度の変化を示す図である。
【符号の説明】
１  液晶層
２ａ、２ｂ  基板
３ａ、３ｂ  透明電極
４ａ、４ｂ  配向制御層
８ａ、８ｂ  偏光板
５  シール材
９  光源
Ｉ0  入射光
Ｉ  透過光
１８、１９  配向膜
２０  シール材
２１  反強誘電性液晶（ＡＦＬＣ）
２２  ギャップ材
２３、２４  偏光板
４１  下側透明基板
４２  上側透明基板
４３  画素電極
４４  アクティブ素子（ＴＦＴ）
４５  ゲートライン（走査ライン）
４６  データライン（階調信号ライン）
４７  対向電極
５１  液晶パネル
５２  走査電極群
５３  情報電極群
１０１  液晶表示装置
１０２  グラフィックコントローラ
１０３  表示パネル
１０４  走査線駆動回路
１０５  情報線駆動回路
１０６  デコーダ
１０７  走査信号発生回路
１０８  シフトレジスタ
１０９  ラインメモリ
１１０  情報信号発生回路
１１１  駆動制御回路
１１２  ＧＣＰＵ
１１３  ホストＣＰＵ
１１４  ＶＲＡＭ
【図１】
0004155536.tif 000016
【図２】
0004155536.tif 000017
【図３】
0004155536.tif 000018
【図４】
0004155536.tif 000019
【図５】
0004155536.tif 000020
【図６】
0004155536.tif 000021
【図７】
0004155536.tif 000022
【図８】
0004155536.tif 000023
【図９】
0004155536.tif 000024